(57)【要約】【課題】撮影レンズ部、ストロボ発光部、バッテリ部、信号処理回路基板、画像表示部などの各要素を好適に配置することにより、小型化に適した、携帯性及び操作性に優れた電子映像カメラを提供する。【解決手段】カメラボデイ１とカメラボディ２をヒンジ部４により折り畳み可能な構造とし、カメラボディ１にシャッターボタン９とバッテリー部１０を配置し、カメラボディ２に撮像レンズ部５を配置し、該カメラボディ１とカメラボディ２を折り畳んだ状態では撮像レンズ５は内側に折り畳まれて保護される、展開した状態では良好な重量バランスや凸上のグリップにより操作性に優れる。【選択図】図１
2004328789.tif 000002
【特許請求の範囲】
【請求項１】
二つのボディを有する電子映像カメラであって、
該電子映像カメラは、シャッター部とバッテリ部を有するボディＡと、撮像レンズ部を有するボディＢとを有し、前記ボディＡと前記ボディBはヒンジ部により折り畳み可能に結合され、
前記ボディＡとボディＢを折り畳んだ状態では、前記ボディBの前記撮像レンズ部を備える面が内側になるよう折り畳まれ、
前記ボディＡとボディＢを展開した状態では、前記ボディＡにおける前記バッテリ部は該展開されたボディＡの端部に配置されることを特徴とする電子映像カメラ。
【請求項２】
請求項１に記載の電子映像カメラであって、
前記ボディＡは液晶画像表示部を有し、
前記前記ボディＡとボディＢを折り畳んだ状態では、前記ボディＡの液晶画像表示部を備える面が外側となり、前記ボディBの前記撮像レンズ部を備える面が内側となるように折り畳まれ、
前記ボディＡとボディＢを展開した状態では、前記ボディＡの液晶画像表示部を備える面と、前記ボディBの前記撮像レンズ部を備える面が略反対の方向を向くこと特徴とする電子映像カメラ。
【請求項３】
請求項１または２に記載の電子映像カメラであって、
更にストロボ発光部を有し、
前記撮像レンズ部が前記ボディBの前記ヒンジ部と異なる端部近傍に配置され、
ストロボ発光部が前記ボディBのヒンジ部近傍または前記ボディＡに配置されていることを特徴とする電子映像カメラ。
【請求項４】
請求項１〜３のいずれか１項に記載の電子映像カメラであって、
前記ボディＢは記録媒体収納部を備え、該記録媒体収納部は該ボディＢの幅方向の側面に配置されていることを特徴とする電子映像カメラ。  
【請求項５】
請求項１〜４のいずれか１項に記載の電子映像カメラであって、
前記ボディＡは凸状のグリップ部を有し、かつ、前記ボディBは前記ボディＡとボディＢを折り畳んだ場合に前記凸状のグリップ部と嵌合する凹部を有することを特徴とする電子映像カメラ。
【請求項６】
請求項１〜５のいずれか１項の記載の電子映像カメラであって、
前記ボディＡとボディＢを展開した状態において、高さ方向の一方に前記撮影レンズ部および前記ストロボ発光部が配置され、他方に前記バッテリ部および前記記録媒体収納部が配置されたことを特徴とする電子映像カメラ。
【請求項７】
請求項１〜６のいずれか１項に記載の電子映像カメラであって、
前記ボディＡは液晶画像表示部、液晶画像表示回路基板、コントロール基板、ストロボ発光部、ストロボ回路基板、ストロボコンデンサーおよびバッテリ部を備え、
前記ボディBは撮影レンズ部、信号処理回路基板、記録媒体収納部を備えることを特徴とする電子映像カメラ。
【発明の詳細な説明】
【技術分野】
【０００１】
本発明は、磁気記録媒体やメモリーカードなどの半導体記録媒体に画像記録する小型で携帯性に優れたビデオカメラや電子スチルカメラなどの電子映像カメラに関する。
【背景技術】
【０００２】
従来の電子映像カメラは、撮影レンズを通して得られた被写体像を固体撮像素子で光電変換する撮像部と、その光電変換した信号を記録媒体に記録する信号にする信号処理部と、記録媒体を含む記録部と、ファインダー機能と共に記録した画像を再生表示する画像表示部とからなり、これらの要素ユニットを含むカメラボディの形態は次の二つの例のようになっており、図４及び図５に、電子映像カメラの従来例を示す。
【０００３】
図４は、撮影レンズ部３０と固体撮像素子回路部３１がカメラボディ３２横に配置されている例であり、この両者が図示されていないメインフレームに固定され、更に、信号処理回路基板３３、記録媒体３４の収納部３５及び同接続回路部３６、バッテリー部３７、コンデンサー３８Ａ と発光部３８b を含むストロボ回路基板部３８、カメラボディ３２の背面に表示部を持つ液晶画像表示部３９などが固定された後、このメインフレームにカメラボディ３２を取り付ける方式であり、カメラボディは横長に大きくなる。
【０００４】
図５は、上記と同様に撮影レンズ部３０と固体撮像素子回路部３１を横に配置したものであるが、撮影レンズ部３０がカメラボデイ３２より突出しないように奥行きのある板状にしたものであり、図示しないメインフレームに前記撮影レンズ３０や固体撮像素子回路３１、信号処理回路基板３３、記録媒体収納部３５及び同接続回路部３６、バッテリー部３７、ストロボコンデンサー３８Ａ 、発光部３８b を含むストロボ回路基板部３８を固定した後、カメラボディ３２を取り付ける。更に、このカメラボディ３２の上面に折りたたみ式の液晶画像表示部３９を設置する。この方式では、カメラボディは厚くなる。
【０００５】
また、この二つの従来例では信号処理回路基板部の面積をとる必要から１枚当たりの基板を大きくしたり、または基板の枚数を増やしてコネクター接続の積層構造にしなければならない。また、撮影レンズやバッテリーなどの内容物に基板が当たるのを避けるために基板の一部を切り欠いたりしなければならない。このようにすることで、カメラボディ外形が全体的に大きくなる。
【発明の開示】
【発明が解決しようとする課題】
【０００６】
従来のコンパクトカメラタイプの電子映像カメラにおいては、回路基板面積を出来るだけ大きくするために撮影レンズを横端に配置するなど、基板を切り欠く量を小さくしている。しかし、限界があり基板はやはり大きくなる。また、ストロボ回路基板や記録媒体接続回路部その他などを積層に多数構成しなければならず、カメラは縦、横、厚み方向にも大きくなり、携帯性、操作性も悪化させている。
【０００７】
更に、奥行き方向に長い板状のカメラ形態においては、撮影レンズ部は突出さないでカメラボディ内に収まるが、上記と同様に基板面積を広くとる必要からカメラボディは大きくなり、且つ、液晶画像表示部はカメラボディ上面に設けられているのでカメラ全体の厚みは更に厚いものになり、撮影及び再生時は画像表示部を立てて見るのでカメラホールド性が悪く、シャッターボタンその他操作部などの配置が人間工学的にも無理があり、操作性、携帯性、重量バランスに欠けるものとなっている。
【０００８】
本発明の目的は、撮影レンズ部やストロボ発光部、信号処理回路基板、画像表示部などの各要素の実装効率の良い、小型化に適し、携帯性及び操作性に優れた電子映像カメラを提供することにある。
【課題を解決するための手段】
【０００９】
本発明は、二つのボディを有する電子映像カメラであって、
該電子映像カメラは、シャッター部とバッテリ部を有するボディＡと、撮像レンズ部を有するボディＢとを有し、前記ボディＡと前記ボディBはヒンジ部により折り畳み可能に結合され、前記ボディＡとボディＢを折り畳んだ状態では、前記ボディBの前記撮像レンズ部を備える面が内側になるよう折り畳まれ、前記ボディＡとボディＢを展開した状態では、前記ボディＡにおける前記バッテリ部は該展開されたボディＡの端部に配置されることを特徴とする電子映像カメラに関する。
【００１０】
また、好ましくは前記ボディＡは液晶画像表示部を有し、前記前記ボディＡとボディＢを折り畳んだ状態では、前記ボディＡの液晶画像表示部を備える面が外側となり、前記ボディBの前記撮像レンズ部を備える面が内側となるように折り畳まれ、前記ボディＡとボディＢを展開した状態では、前記ボディＡの液晶画像表示部を備える面と、前記ボディBの前記撮像レンズ部を備える面が略反対の方向を向くこと特徴とする電子映像カメラに関する。
【００１１】
また、好ましくはストロボ発光部を有し、前記撮像レンズ部が前記ボディBの前記ヒンジ部と異なる端部近傍に配置され、ストロボ発光部が前記ボディBのヒンジ部近傍または前記ボディＡに配置されていることを特徴とする電子映像カメラに関する。
【００１２】
また、好ましくは前記ボディＢは記録媒体収納部を備え、該記録媒体収納部は該ボディＢの幅方向の側面に配置されていることを特徴とする電子映像カメラに関する。
【００１３】
また、好ましくは前記ボディＡは凸状のグリップ部を有し、かつ、前記ボディBは前記ボディＡとボディＢを折り畳んだ場合に前記凸状のグリップ部と嵌合する凹部を有することを特徴とする電子映像カメラに関する。  
また、好ましくは前記ボディＡとボディＢを展開した状態において、高さ方向の一方に前記撮影レンズ部および前記ストロボ発光部が配置され、他方に前記バッテリ部および前記記録媒体収納部が配置されたことを特徴とする電子映像カメラ。
【００１４】
また、好ましくは前記ボディＡは液晶画像表示部、液晶画像表示回路基板、コントロール基板、ストロボ発光部、ストロボ回路基板、ストロボコンデンサーおよびバッテリ部を備え、前記ボディBは撮影レンズ部、信号処理回路基板、記録媒体収納部を備えることを特徴とする電子映像カメラに関する。
【発明の効果】
【００１５】
本発発明の構成によれば、以下に述べる効果の１または２以上を得ることができる。即ち、折り畳んだ状態では撮影レンズ部、ストロボ発光部と液晶画像表示部は内側に折り畳まれて保護され、携帯性に優れたており、展開した状態ではホールドが良く構えることができ、操作性に優れている。特に、シャッターボタンを有するカメラボディに凸状のグリップ部を、撮影レンズ部のあるカメラボディに凹状のグリップ部を有する場合、指が自然にかかり、カメラホールド性が非常に優れたものになる。また、ストロボ発光部や撮影レンズに指がかかることを防止できる。
【００１６】
また、シャッターボタンなど操作系があるカメラボディには液晶画像表示部やストロボ発光部、バッテリー部などが配設されるのみであるから基板を切り欠くことが殆どなく、基板有効実装面積が広くとれ、結果的に効率よく小さく構成できる。
【００１７】
また、バッテリーや液晶表示部など比較的重量のある要素部分を内蔵するこのカメラボディを持つため重量バランス的にも良好であり、特に、凸状グリップを有する場合には特に操作性と重量バランスが良好となる。もう一方のカメラボディには、撮影レンズ部や記録媒体収納部、信号処理回路部などが配設されるので同様に殆ど基板を切り欠くことなく基板有効実装面積を広くとれ、結果的に効率よく小さく構成できる。
【００１８】
また、各要素部をカメラボディに殆どフレームを用いずに直接固定でき、また、小さな箱状になるので強度的にも強くなり且つ、事前組立もやりやすいのでコスト的にも有利となる。
【００１９】
また、撮影レンズ部とストロボ発光部はカメラボディを閉じた状態では互いに向かい合う形になり、撮影レンズ面やストロボ発光面を保護する形態となる。
【００２０】
また、カメラボディを展開したときには両者の間隔は離れ合うので、赤目対策上非常に有利となる。
【発明を実施するための最良の形態】
【００２１】
以下、図面を用いて本発明の実施の形態を説明する。図１は本発明の電子映像カメラの実施例を示し、カメラボディを１８０°展開したカメラ正面斜め方向から見た概略構成図であり、撮影レンズ５はカメラボディ２に、ストロボ発光部６はカメラボディ１に配設されている。図２は図１のカメラボディを折り畳んだ時の構成概略図であり、カメラボディ１と２を折り畳み格納し、携帯時のコンパクトな形態を示したものである。図３は本発明の電子映像カメラの他の実施例の概略構成図であり、撮影レンズ部５とストロボ発光部６はカメラボディ２に配設構成されたものである。図において同じ部位は同じ符号で示し、カメラボディは幅＞高さ＞厚さの関係を持つ箱形形状である。
【００２２】
図において、１は折りたたみ構造の電子映像カメラの片方のカメラボディＡ、２はもう一方のカメラボディＢであり、３はカメラボディ１と２が折り畳められた状態を示し、４はカメラボディ１と２を結合及び１８０°開閉展開を可能とするヒンジ部である。５は撮影レンズ部であり、６はストロボ発光部であり、７はカメラボディ１に配設された凸状のグリップ部、８はカメラボディ２に配設された凹状のグリップ部であり、カメラボディ１と２が折り畳められた３の状態ではグリップ部７と８がはまり込むように構成される。カメラボディ１と２の１８０°展開時は図示されていない展開時固定ロック部によって固定され、カメラホールドが確実にできるようになる。９はカメラボディ１の上部に配設されたシャッターボタンであり、１０はグリップ部７の中に収納されるバッテリーであり、１１はカメラボディ２の中に収納される記録媒体であり、１２と１２Ａ はカメラボディ１と２を折り畳み込んだ状態で結合固定するロック部である。カメラボディ１にはファインダー機能及び記録した画像を再生して見る液晶画像表示部１３や、同画像表示回路基板１４及びストロボ回路基板１５、ストロボ発光部６、ストロボコンデンサ１６などがバッテリー１０の収納されている上部に配設されている。 ヒンジ部４を通じてカメラボディ１と電気的にも接続されているカメラボディ２には、記録媒体１１を収納する記録媒体収納部１７と信号処理回路基板１８が配設され、この信号処理回路基板１８には記録媒体１１の信号処理回路部と撮影レンズ部５と接続された固体撮像素子回路部が同じ基板上に構成されている。
【００２３】
以上説明したように本発明の構成によれば、幅＞高さ＞厚さの関係を持つ箱形で非常に小型で携帯性に優れたカメラになり、カメラを１８０°展開した場合は銀塩コンパクトカメラのように構えることができ、更にシャッターボタンがあるカメラボディには凸状のグリップ部が、撮影レンズ部のあるカメラボディには凹状のグリップ部が形成されるので、指が自然にかかり、カメラホールド性が非常に優れたものになり、またストロボ発光部や撮影レンズに指がかかることを防止できる。
【００２４】
更に、シャッターボタンなど操作系があるカメラボディには液晶画像表示部やストロボ発光部、バッテリー部などが配設されるのみであるから基板を切り欠くことが殆どなく、基板有効実装面積が広くとれ、結果的に効率よく小さく構成できる。また、バッテリーや液晶表示部など比較的重量のある要素部分を内蔵するこのカメラボディを手のひらで凸状グリップを用いてホールドするので重量バランス的にも良好となる。もう一方のカメラボディには、撮影レンズ部や記録媒体収納部、信号処理回路部などが配設されるので同様に殆ど基板を切り欠くことなく基板有効実装面積を広くとれ、結果的に効率よく小さく構成できる。
【００２５】
いずれの場合も各要素部をカメラボディに殆どフレームを用いずに直接固定でき、また、小さな箱状になるので強度的にも強くなり且つ、事前組立もやりやすいのでコスト的にも有利となる。
【００２６】
また、第１の実施例では、撮影レンズ部とストロボ発光部はカメラボディを閉じた状態では互いに向かい合う形になり、撮影レンズ面やストロボ発光面を保護する形態となる。１８０°に展開したときには両者の間隔は離れ合うので赤目対策上非常に有利となる。第２の実施例では、一方のカメラボディに撮影レンズ部とストロボ発光部を配設し、撮影に必要な各要素を集約した構成としたものである。
【産業上の利用可能性】
【００２７】
本発明によれば、携帯性や操作性に優れた電子映像カメラを提供することができる。
【図面の簡単な説明】
【００２８】
【図１】本発明の電子映像カメラの実施例の構成を示す概略斜視図である。
【図２】図１の電子映像カメラを折り畳んだ状態を示す概略構成図である。
【図３】本発明の電子映像カメラの他の構成を示す概略斜視図である。
【図４】電子映像カメラの従来例の構成を示す概略斜視図である。
【図５】電子映像カメラの他の従来例の構成を示す概略斜視図である。
【符号の説明】
【００２９】
１ カメラボディＡ
２ カメラボディＢ
３ 折り畳み状態のカメラボディ
４ ヒンジ部
５ 撮影レンズ部
６ ストロボ発光部
７ 凸状グリップ部
８ 凹状グリップ部
９ シャッターボタン
１０ バッテリー
１１ 記録媒体
１２１２a 結合固定ロック部
１３ 液晶画像表示部
１４ 液晶画像表示回路基板
１５ ストロボ回路基板
１６ ストロボコンデンサー
１７ 記録媒体収納部
１８ 信号処理回路基板
３０ 撮影レンズ部
３１ 固体撮像素子回路部
３２ カメラボディ
３３ 信号処理回路部
３４ 記録媒体
３５ 記録媒体収納部
３６ 記録媒体接続回路部
３７ バッテリー部
３８ ストロボ回路基板部
３８a ストロボコンデサー
３８b 発光部
３９ 液晶画像表示部
【図１】
2004328789.tif 000003
【図２】
2004328789.tif 000004
【図３】
2004328789.tif 000005
【図４】
2004328789.tif 000006
【図５】
2004328789.tif 000007